【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
液晶に印加される電圧に対応する画像の各画素の階調値を表す画像データを、前記各画素における階調値の変化に基づいて補正して出力する液晶駆動用画像処理回路であって、
現フレームの画像データを符号化することにより当該現フレームの画像に対応する符号化画像データを出力する符号化手段と、
前記符号化手段により出力される前記符号化画像データを復号化することにより前記現フレームの画像データに対応する第１の復号化画像データを出力する復号化手段と、
前記符号化手段により出力される前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データ、および前記第２の復号化画像データに基づいて、前記現フレームの画像の階調値を補正するための補正データを出力する補正データ発生手段と、
前記補正データに基づいて前記現フレームの画像データを補正する補正手段とを備えたことを特徴とする液晶駆動用画像処理回路。
【請求項２】
第１の復号化画像データ、および第２の復号化画像データの量子化ビット数を削減することにより、前記第１の復号化画像データ、および第２の復号化画像データに対応する第３の復号化画像データ、および第４の復号化画像データをそれぞれ出力するデータ変換手段を備え、
補正データ発生手段は、前記第３の復号化画像データ、および前記第４の復号化画像データに基づいて補正データを出力することを特徴とする請求項１に記載の液晶駆動用画像処理回路。
【請求項３】
第１の復号化画像データ、または第２の復号化画像データの量子化ビット数を削減することにより、前記第１の復号化画像データに対応する第３の復号化画像データ、または第２の復号化画像データに対応する第４の復号化画像データを出力するデータ変換手段を備え、
補正データ発生手段は、前記第３の復号化画像データおよび前記第２の復号化画像データ、または前記第１の復号化画像データおよび前記第４の復号化画像データに基づいて補正データを出力することを特徴とする請求項１に記載の液晶駆動用画像処理回路。
【請求項４】
第１の復号化画像データと現フレームの画像との誤差を検出する誤差判定手段と、
検出された前記誤差に基づいて補正データの値を制限する制限手段とをさらに備えたことを特徴とする請求項１に記載の液晶駆動用画像処理回路。
【請求項５】
第１の復号化画像データと現フレームの画像データとの差分を検出する誤差判定手段と、
検出された前記差分を前記第１の復号化画像データ、および第２の復号化画像データのそれぞれに加算することにより、前記第１の復号化画像データに対応する第５の復号化画像データ、および前記第２の復号化画像データに対応する第６の復号化画像データを生成する手段とをさらに備え、
補正データ発生手段は、前記第５の復号化画像データ、および前記第６の復号化画像データに基づいて補正データを出力することを特徴とする請求項１に記載の液晶駆動用画像処理回路。
【請求項６】
第１の復号化画像データと現フレームの画像データとの差分を検出する誤差判定手段と、
検出された前記差分を前記第１の復号化画像データ、または第２の復号化画像データに加算することにより、前記第１の復号化画像データに対応する第５の復号化画像データ、または前記第２の復号化画像データに対応する第６の復号化画像データを生成する手段とをさらに備え、
補正データ発生手段は、前記第５の復号化画像データおよび第２の復号化画像データ、または前記第１の復号化画像データおよび前記第６の復号化画像データに基づいて補正データを出力することを特徴とする請求項１に記載の液晶駆動用画像処理回路。
【請求項７】
現フレームの画像に含まれる所定の周波数成分を制限する帯域制限手段をさらに備え、
符号化手段は、前記帯域制限手段の出力を符号化することにより符号化画像を出力することを特徴とする請求項１に記載の液晶駆動用画像処理回路。
【請求項８】
補正データは、液晶が１フレーム期間以内に画像データにより定められる所定の階調値に対応する透過率となるよう設定されることを特徴とする請求項１〜７のいずれか１項に記載の液晶駆動用画像処理回路。
【請求項９】
液晶に印加される電圧に対応する画像の各画素の階調値を表す画像データを、前記各画素における階調値の変化に基づいて補正する画像処理方法であって、
現フレームの画像データを符号化することにより当該現フレームの画像データに対応する符号化画像データを生成し、
前記符号化画像データを復号化することにより得られる前記現フレームの画像データに対応する第１の復号化画像データ、および前記符号化画像データを１フレームに相当する期間遅延して復号化することにより得られる前記現フレームの１フレーム前の画像データに対応する第２の復号化画像データに基づいて前記現フレームの画像データを補正することを特徴とする画像処理方法。
【請求項１０】
第１の復号化画像データ、および第２の復号化画像データの量子化ビット数を削減することにより得られる、前記第１の復号化画像データに対応する第３の復号化画像データ、および第２の復号化画像データに対応する第４の復号化画像データに基づいて現フレームの画像データを補正することを特徴とする請求項９に記載の画像処理方法。
【請求項１１】
第１の復号化画像データ、または第２の復号化画像データの量子化ビット数を削減することにより、前記第１の復号化画像データに対応する第３の復号化画像データ、または第２の復号化画像データに対応する第４の復号化画像データを出力し、
前記第３の復号化画像データおよび前記第２の復号化画像データ、または前記第１の復号化画像データおよび前記第４の復号化画像データに基づいて現フレームの画像データを補正することを特徴とする請求項９に記載の画像処理方法。
【請求項１２】
第１の復号化画像データと現フレームの画像データとの誤差を検出し、検出された誤差に基づいて、現フレームの画像データの補正量を制限することを特徴とする請求項９に記載の画像処理方法。
【請求項１３】
第１の復号化画像データと現フレームの画像データとの差分を前記第１の復号化画像データ、および第２の復号化画像データに加算することにより、前記第１の復号化画像データに対応する第５の復号化画像データ、および前記第２の復号化画像データに対応する第６の復号化画像データを生成し、
前記第５の復号化画像データ、および前記第６の復号化画像データに基づいて現フレームの画像データを補正することを特徴とする請求項９に記載の画像処理方法。
【請求項１４】
第１の復号化画像と現フレームの画像との差分を前記第１の復号化画像データ、または第２の復号化画像データに加算することにより、前記第１の復号化画像データに対応する第５の復号化画像データ、または前記第２の復号化画像データに対応する第６の復号化画像データを生成し、
前記第５の復号化画像データおよび第２の復号化画像データ、または前記第１の復号化画像データおよび前記第６の復号化画像データに基づいて現フレームの画像データを補正することを特徴とする請求項９に記載の画像処理方法。
【請求項１５】
現フレームの画像に含まれる所定の周波数成分を制限することにより得られる、前記現フレームの画像に対応する新たな画像を符号化することを特徴とする請求項９に記載の画像処理方法。
【請求項１６】
現フレームの画像データは、液晶が１フレーム期間以内に前記現フレームの画像データにより定められる所定の階調値に対応する透過率となるよう補正されることを特徴とする請求項９〜１５のいずれか１項に記載の画像処理方法。
【請求項１７】
画像を構成する各画素の階調値を表す画像データを、前記各画素における階調値の変化に基づいて補正する画像処理回路であって、
現フレームの画像データを符号化することにより当該現フレームの画像に対応する符号化画像データを出力する符号化手段と、
前記符号化手段により出力される前記符号化画像データを復号化することにより前記現フレームの画像データに対応する第１の復号化画像データを出力する復号化手段と、
前記符号化手段により出力される前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データ、および前記第２の復号化画像データに基づいて、前記現フレームの画像の階調値を補正する補正手段とを備えたことを特徴とする画像処理回路。
【請求項１８】
画像を構成する各画素の階調値を表す画像データを、前記各画素における階調値の変化に基づいて補正する画像処理方法であって、
現フレームの画像データを符号化することにより当該現フレームの画像に対応する符号化画像データを生成し、
前記符号化画像データを１フレームに相当する期間遅延して復号化することにより得られる前記現フレームの１フレーム前の画像データに対応する復号化画像データ、および前記符号化画像データを復号化して得られる前記現フレームの画像データに対応する復号化画像データを用いて求められる前記階調値の変化に基づいて前記現画像の画像データを補正することを特徴とする画像処理方法。
【請求項１９】
請求項１〜８のいずれか１項に記載の液晶駆動用画像処理回路を備えたことを特徴とする液晶表示装置。
【手続補正２】
【補正対象書類名】明細書
【補正対象項目名】００１２
【補正方法】変更
【補正の内容】
【００１２】
【課題を解決するための手段】
本発明に係る液晶駆動用画像処理回路は、液晶に印加される電圧に対応する画像の各画素の階調値を表す画像データを、前記各画素における階調値の変化に基づいて補正して出力する液晶駆動用画像処理回路であって、
現フレームの画像データを符号化することにより当該現フレームの画像に対応する符号化画像データを出力する符号化手段と、
前記符号化手段により出力される前記符号化画像データを復号化することにより前記現フレームの画像データに対応する第１の復号化画像データを出力する復号化手段と、
前記符号化手段により出力される前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データ、および前記第２の復号化画像データに基づいて、前記現フレームの画像の階調値を補正するための補正データを出力する補正データ発生手段と、
前記補正データに基づいて前記現フレームの画像データを補正する補正手段とを備えたものである。
【手続補正３】
【補正対象書類名】明細書
【補正対象項目名】００１３
【補正方法】変更
【補正の内容】
【００１３】
本発明に係る画像処理方法は、液晶に印加される電圧に対応する画像の各画素の階調値を表す画像データを、前記各画素における階調値の変化に基づいて補正する画像処理方法であって、
現フレームの画像データを符号化することにより当該現フレームの画像データに対応する符号化画像データを生成し、
前記符号化画像データを復号化することにより得られる前記現フレームの画像データに対応する第１の復号化画像データ、および前記符号化画像データを１フレームに相当する期間遅延して復号化することにより得られる前記現フレームの１フレーム前の画像データに対応する第２の復号化画像データに基づいて前記現フレームの画像データを補正するものである。
【手続補正４】
【補正対象書類名】明細書
【補正対象項目名】００１４
【補正方法】変更
【補正の内容】
【００１４】
さらに、本発明に係る画像処理回路は、画像を構成する各画素の階調値を表す画像データを、前記各画素における階調値の変化に基づいて補正する画像処理回路であって、
現フレームの画像データを符号化することにより当該現フレームの画像に対応する符号化画像データを出力する符号化手段と、
前記符号化手段により出力される前記符号化画像データを復号化することにより前記現フレームの画像データに対応する第１の復号化画像データを出力する復号化手段と、
前記符号化手段により出力される前記符号化画像データを１フレームに相当する期間遅延する遅延手段と、
前記遅延手段により出力される前記符号化画像データを復号化することにより、前記現フレームの１フレーム前の画像データに対応する第２の復号化画像データを出力する復号化手段と、
前記第１の復号化画像データ、および前記第２の復号化画像データに基づいて、前記現フレームの画像の階調値を補正する補正手段とを備えたものである。
また、本発明に係る画像処理方法は、画像を構成する各画素の階調値を表す画像データを、前記各画素における階調値の変化に基づいて補正する画像処理方法であって、
現フレームの画像データを符号化することにより当該現フレームの画像に対応する符号化画像データを生成し、
前記符号化画像データを１フレームに相当する期間遅延して復号化することにより得られる前記現フレームの１フレーム前の画像データに対応する復号化画像データ、および前記符号化画像データを復号化して得られる前記現フレームの画像データに対応する復号化画像データを用いて求められる前記階調値の時間的な変化に基づいて前記現画像の画像データを補正するものである。
【手続補正５】
【補正対象書類名】明細書
【補正対象項目名】００１９
【補正方法】変更
【補正の内容】
【００１９】
補正データ生成器８は、復号化画像データＤｂ１、および復号化画像データＤｂ０に基づいて、現画像の階調値が１フレーム前とで変化する場合、液晶が１フレーム期間内に当該現画像の階調値に対応する透過率となるよう現画像データＤｉ１を補正する補正データＤｃを出力する。